(57)【要約】【課題】経時変化や温湿度変化に対するカッピング変化を加えた測定結果を自動的に得ることができるテープの形状測定装置を提供する。【解決手段】磁気テープの一端を固定するとともに、他端に錘を吊し、この錘で長手方向に所定の張力を与えて磁気テープを静止させ、この静止させた状態で、磁気テープのカッピング形状をテープ形状センサ２により測定し、その信号を、テープ形状認識手段３を介して測定データ作成手段５に入力する。一方、測定データ作成手段５には、テープ形状認識手段３からの信号に加えて、テープ形状センサ２の測定時に測定室内の温度情報と湿度情報及び時間情報が入力され、測定データ作成手段５では、この測定を行っている時間情報と磁気テープが測定されている室内の温度情報と湿度情報を対応させて測定データを作成するようにした。【選択図】  図１
2004340682.tif 000002
【特許請求の範囲】
【請求項１】
テープのカッピングを測定するための装置であって、
前記テープの長手方向に所定の張力を与え、このテープを表面が基準平面に倣う静止状態にして固定するテープ固定手段と、
前記テープのカッピングに応じた信号を出力するテープ形状センサと、
このテープ形状センサにより前記テープの形状検出が行われている間の時間情報をリアルタイムに出力する環境測定手段と、
前記テープ形状センサの出力情報から前記テープのカッピングを算出し、この算出されたカッピング情報を出力するテープ形状認識手段と、
前記テープ形状認識手段からのカッピング情報を前記環境測定手段の時間情報に対応させて測定データを作成する測定データ作成手段と、
を備えたことを特徴とするテープの形状測定装置。
【請求項２】
前記環境測定手段は、前記基準平面に固定されている前記テープが配置されている室内の温度を検出する温度センサを備え、前記測定データ作成手段は、前記温度センサからの温度情報を前記テープ形状認識手段によるカッピング情報に対応させて前記測定データを作成することを特徴とする請求項１に記載のテープの形状測定装置。
【請求項３】
前記環境測定手段は、前記基準平面に固定されている前記テープが配置されている室内の湿度を検出する湿度センサを備え、前記測定データ作成手段は、前記湿度センサからの湿度情報を前記テープ形状認識手段によるカッピング情報に対応させて前記測定データを作成することを特徴とする請求項１または２に記載のテープの形状測定装置。
【請求項４】
前記測定データ作成手段は、前記測定データを記憶しておく記憶部を備えたことを特徴とする請求項１から３のいずれか一項に記載のテープの形状測定装置。
【請求項５】
前記テープ形状センサは、前記テープの表面に対して、測定波を発信する発信部と、前記発信部から発信された測定波を前記テープからの反射波として受信する受信部とから構成されていることを特徴とする請求項１から４のいずれか一項に記載のテープの形状測定装置。
【請求項６】
前記テープ形状センサは、前記テープを透過しない測定波を前記テープに対して、前記テープの幅寸法よりも大きな領域に渡って発信する発信部と、前記テープを間に挟んで前記発信部と対向した位置に配置され、前記発信部から発信された測定波を受信する受信部とから構成されていることを特徴とする請求項１から４のいずれか一項に記載のテープの形状測定装置。
【請求項７】
テープのカッピングを測定するための方法であって、
テープの長手方向に所定の張力を与え、この張力で前記テープを固定している状態にしてこのテープのカッピングを測定し、この測定で得られたカッピング情報に、この測定を行っている間の時間情報を対応させて測定データを作成することを特徴とするテープの形状測定方法。
【請求項８】
テープのカッピングを測定するための方法であって、
テープの長手方向に所定の張力を与え、この張力で前記テープを固定している状態にしてこのテープのカッピングを測定し、この測定で得られたカッピング情報に、この測定を行っている室内の温度情報を対応させて測定データを作成することを特徴とするテープの形状測定方法。
【請求項９】
テープのカッピングを測定するための方法であって、
テープの長手方向に所定の張力を与え、この張力で前記テープを固定している状態にしてこのテープのカッピングを測定し、この測定で得られたカッピング情報に、この測定を行っている室内の湿度情報を対応させて測定データを作成することを特徴とするテープの形状測定方法。
【発明の詳細な説明】
【０００１】
【発明の属する技術分野】
本発明は、磁気テープ等のテープの形状、特に時間、温度、湿度等に影響される形状の変化を測定するためのテープの形状測定装置及び形状測定方法に関するものである。
【０００２】
【従来の技術】
一般に、ＶＴＲやオーディオ等に使用される磁気テープは、ロール状に巻かれた幅広で、かつ可撓性を有した磁気テープを縦方向（長手方向）に裁断して複数本の幅の狭い磁気テープとして得られる。また、図１１に示すように、裁断後の幅の狭い磁気テープＴは、それぞれ巻き取りリール１０１に巻き取られ、樹脂製のケース１０２に収納されてテープカートリッジ１０３となり、納品までの間、倉庫や輸送中のトラックの中で長時間保管される。しかしながら、磁気テープＴは、幅方向に対して湾曲が発生することがある。この湾曲はカッピングと呼ばれている。
【０００３】
上記カッピングを、図面を参照して説明すると、カッピングとは、理想的には図１２の（ａ）に示すように平坦であるべき磁気テープＴが、同図の（ｂ），（ｃ）に示すように、磁性面Ｔｃを上にしたとき、その長手方向に沿う両縁部Ｔａ，Ｔｂがそれぞれ高さ方向に反り上り（または反り下がり）、断面がアーチ状に湾曲した状態のことを指す。なお、磁気テープＴのカッピングは、磁気テープ材料によって固有の湾曲の程度（湾曲度）、すなわちカッピング量を持ち、さらに磁気テープＴとして作られてから現在までの経過時間、及び温度や湿度によっても変化の仕方が異なる。
【０００４】
このように固有のカッピング量を持つ磁気テープが、通常のテープリールに巻かれて市販されるわけである。しかし、この磁気テープが、例えばテープレコーダに使用される場合、磁気テープの表面と磁気ヘッドとの間に上記カッピングに起因する間隙が生じ、その結果、テープレコーダにおいて重要な特性である、所謂当たり特性に大きな影響を与える。したがって、納品時の製品の品質を確保するために、磁気テープの形状が、時間が経つに連れてどのように変化するのかを調べる必要がある。また、温度や湿度等の変化によって、磁気テープの形状がどのように変化するのかを調べる必要もある。そのため、従来は、テープカートリッジを、様々な環境の実験室において、人為的に検査をしていた。
【０００５】
なお、カッピングを測定するための装置ではないが、テープの形状を測定（検査）するための装置としては、例えば、特許文献１に開示されているような装置がある。
【０００６】
【特許文献１】
特開２００３−９１９６４号公報（第４−５頁、第１図）
【０００７】
【発明が解決しようとする課題】
しかし、従来の人為的に行っていた検査方法では、大変面倒で、手間もかかり、測定精度にばらつきが生じ、信頼性の面でも満足できるものではなかった。
【０００８】
本発明は、前記の問題点に鑑み創案されたものであり、経時時間や温湿度に対するカッピング変化を加えた測定を自動的に行うことができるテープの形状測定装置及び形状測定方法を提供することを目的とする。
【０００９】
【課題を解決するための手段】
請求項１に記載のテープの形状測定装置は、テープのカッピングを測定するための装置であって、前記テープの長手方向に所定の張力を与え、このテープを表面が基準平面に倣う静止状態にして固定するテープ固定手段と、前記テープのカッピングに応じた信号を出力するテープ形状センサと、このテープ形状センサにより前記テープの形状検出が行われている間の時間情報をリアルタイムに出力する環境測定手段と、前記テープ形状センサの出力情報から前記テープのカッピングを算出し、この算出されたカッピング情報を出力するテープ形状認識手段と、前記テープ形状認識手段からのカッピング情報を前記環境測定手段の時間情報に対応させて測定データを作成する測定データ作成手段と、を備える構成にしたものである。
【００１０】
かかる構成によれば、テープ固定手段により可撓性のテープを基準平面内に張り渡し、所定の張力を与えて静止状態にあるテープのカッピングをテープ形状センサにより計測するので、十分に高い精度のもとに測定できる。また測定データ作成手段では、テープ形状センサにより計測されてテープ形状認識手段により認識されるカッピング情報に、環境測定手段より出力される時間情報を対応させて測定データを作成するので、テープの経時変化を時系列で自動的に測定することができる。
【００１１】
請求項２に記載のテープの形状測定装置は、前記基準平面に固定されている前記テープが配置されている室内の温度を検出する温度センサを備え、前記測定データ作成手段は、前記温度センサからの温度情報を前記テープ形状認識手段によるカッピング情報に対応させて前記測定データを作成する構成にした。
【００１２】
かかる構成によれば、テープが基準平面内に張り渡されている室内の温度情報を室内環境センサで取得し、テープの時系列変化に、この温度の情報を加えた測定データが自動的に得られる。
【００１３】
請求項３に記載のテープの形状測定装置は、前記基準平面に固定されている前記テープが配置されている室内の湿度を検出する湿度センサを備え、前記測定データ作成手段は、前記湿度センサからの湿度情報を前記テープ形状認識手段によるカッピング情報に対応させて前記測定データを作成する構成にした。
【００１４】
かかる構成によれば、テープが基準平面内に張り渡されている室内の湿度情報を室内環境センサで取得し、テープの時系列変化に、この湿度の情報を加えた測定データが自動的に得られる。
【００１５】
請求項４に記載のテープの形状測定装置では、前記測定データ作成手段が、前記測定データを記憶しておく記憶部を備える構成にした。
【００１６】
かかる構成によれば、必要に応じて、測定データ作成手段で作成された測定データを、この測定データが記憶されている記憶部より何時でも読み出して使用することができる。
【００１７】
請求項５に記載のテープの形状測定装置は、前記テープ形状センサが、前記テープに対して、測定波を発信する発信部と、前記発信部から発信された測定波を前記テープからの反射波として受信する受信部から構成されるようにした。
【００１８】
かかる構成によれば、発信部からテープ表面に向けて発信され、テープ表面で反射されて受信部で受信される測定波は、カッピング量に応じて異なるので、受信部で受信される反射波からテープのカッピング状態を簡単に知ることができ、この信号を基にテープ形状認識手段がカッピングを自動的に算出することができる。
【００１９】
請求項６に記載のテープの形状測定装置は、前記テープ形状センサが、前記テープを透過しない測定波を前記テープに対して、前記テープの幅寸法よりも大きな領域に渡って発信する発信部と、前記テープを間に挟んで前記発信部と対向した位置に配置され、前記発信部から発信された測定波を受信する受信部から構成されるようにした。
【００２０】
かかる構成によれば、受信部側で、発信部からの発信された測定波を受けない領域がテープ幅となり、この測定波を受けない領域を検出することによって、テープの幅を簡単に知ることができる。また、この信号を基にテープ形状認識手段がカッピングを自動的に算出することができる。
【００２１】
請求項７に記載のテープの形状測定方法は、テープのカッピングを測定するための方法であって、長手方向に所定の張力を与え、この張力で前記テープを固定している状態にしてこのテープのカッピングを測定し、この測定で得られたカッピング情報に、この測定を行っている間の時間情報を対応させて測定データを作成するようにした。
【００２２】
かかる方法によれば、所定の張力を与えて静止状態にあるテープのカッピングを測定するので、十分に高い精度のもとに測定できる。また、テープのカッピングを測定した結果に、この測定を行っている間の時間情報を対応させてなる測定データが自動的に得られる。
【００２３】
請求項８に記載のテープの形状測定方法は、テープのカッピングを測定するための方法であって、長手方向に所定の張力を与え、この張力で前記テープを固定している状態にしてこのテープのカッピングを測定し、この測定で得られたカッピング情報に、この測定を行っている室内の温度情報を対応させて測定データを作成するようにした。
【００２４】
かかる方法によれば、所定の張力を与えて静止状態にあるテープのカッピングを測定するので、十分に高い精度のもとに測定できる。また、テープのカッピングを測定した結果に、この測定を行っている室内の温度情報を対応させてなる測定データが自動的に得られる。
【００２５】
請求項９に記載のテープの形状測定方法は、テープのカッピングを測定するための方法であって、長手方向に所定の張力を与え、この張力で前記テープを固定している状態にしてこのテープのカッピングを測定し、この測定で得られたカッピング情報に、この測定を行っている室内の湿度情報を対応させて測定データを作成するようにした。
【００２６】
かかる方法によれば、所定の張力を与えて静止状態にあるテープのカッピングを測定するので、十分に高い精度のもとに測定できる。また、テープのカッピングを測定した結果に、この測定を行っている室内の湿度情報を対応させてなる測定データが自動的に得られる。
【００２７】
【発明の実施の形態】
（第１の実施の形態）
以下、図面を参照して、本発明の実施の形態を説明する。図１は、本発明の第１の実施の形態におけるテープの形状測定装置の概要を示すブロック構成図である。図１に示すように、形状測定装置１は、テープ形状センサ２とテープ形状認識手段３と環境測定手段４と測定データ作成手段５と入力装置６とディスプレイ７を備える。また、形状測定装置１は、図２及び図３に示すように、磁気テープＴを固定するためのテープ固定手段８を備えている。なお、テープ形状センサ２とテープ固定手段８は、ハウジング１０に固定されている。
【００２８】
テープ形状センサ２は、その構造については後記するが、磁気テープＴのカッピングに応じた信号を出力する。テープ形状認識手段３は、テープ形状センサ２の出力情報から磁気テープＴのカッピングを算出し、この算出されたカッピング情報をテープ形状情報として測定データ作成手段５に出力する。
【００２９】
環境測定手段４は、環境の温度に応じた信号を温度情報として測定データ作成手段５に出力する温度センサ４ａと、環境の湿度に応じた信号を湿度情報として測定データ作成手段５に出力する湿度センサ４ｂと、測定データ作成手段５に時間情報をリアルタイムに出力するタイマ４ｃとを備えている。
【００３０】
測定データ作成手段５は、例えばパーソナルコンピュータであり、演算手段（ＣＰＵ）５ａと記憶部５ｂと入出力手段５ｃを備える。この測定データ作成手段５には、通常、入出力手段５ｃを介してテープ形状認識手段３からのテープ形状情報、温度センサ４ａからの温度情報、湿度センサ４ｂからの湿度情報、タイマ手段４ｃからの時間情報がそれぞれ入力される他に、オペレータからの命令操作等が入力される入力装置６、及び演算手段５ａで演算された結果を外部表示するためのディスプレイ７が接続される。
【００３１】
なお、入力装置６はキーボード及びマウス等であり、これらキーボード及びマウスを使用することにより、オペレータが各種の命令操作を行うことができる。また、タイマ手段４ｃは、測定データ作成手段５としてパソコンを使用している場合には、このパソコンに内蔵されているタイマを使用してもよい。演算手段５ａは、テープ形状認識手段３からのテープ形状情報に、環境測定手段４からの温度情報、湿度情報、時間情報をそれぞれ対応付けした測定データを作成する。記憶部５ｂは演算手段５で作成された測定データを順次記憶する記憶手段である。
【００３２】
テープ固定手段８は、磁気テープＴのカッピング量を測定するもので、図２及び図３に示すように、本例ではテープ幅２５．４ｍｍで作られた磁気テープＴの一端を固定するテープ固定部１１と、互いに１００ｍｍ離れて配置された直径１０ｍｍの２本の円柱状をしたガイド１２ａ，１２ｂと、テープ固定部１１に一端側が固定されている磁気テープＴの他端側に吊して取り付けられる重さ１００グラムの錘１３とを備えている。
【００３３】
そして、テープ固定部１１に一端が固定されたテープＴは、磁性面Ｔｃ（図１２参照）を下に向けてガイド１２ａとガイド１２ｂの上に架け渡された後、他端側に錘１３が吊した状態で取り付けられ、この錘１３によりテープＴの長手方向に所定の張力を与えて静止された状態でセットされる。なお、テープ固定部１１はカッピング測定部８のハウジング１０に固定され、ガイド１２ａとガイド１２ｂはハウジング１０に回転可能に取り付けられている。
【００３４】
ここで、磁気テープＴは、カッピングが全く生じていないとき、錘１３により長手方向に所定の張力が与えられている静止状態では、ガイド１２ａとガイド１２ｂとの間にまたがって平坦状に配置され、この磁気テープＴの下面（磁性面Ｔｃ）側が基準平面９（図４参照）となる。
【００３５】
しかし、カッピングが生じると縁部Ｔａ，Ｔｂだけが基準平面９に倣い、縁部Ｔａと縁部Ｔｂとの間が上側に湾曲（カッピング）した状態に膨らみ、このカッピングの部分では中央に進むに従って基準平面９から徐々に離れる、これと同時に縁部Ｔａと縁部Ｔｂとの間の距離が狭まる。したがって、磁気テープＴの縁部Ｔａと縁部Ｔｂとの間、すなわちテープ幅間の膨らみの量、あるいは縁部Ｔａと縁部Ｔｂとの間の距離を検出することによって、磁気テープＴのカッピング量を認識することができる。
【００３６】
そして、この第１の実施の形態では、磁気テープＴの縁部Ｔａと縁部Ｔｂとの間の膨らみ量からカッピングを検出するようにしたもので、その磁気テープＴの縁部Ｔａと縁部Ｔｂとの間の湾曲量を検出するためのテープ形状センサ２を設けている。このテープ形状センサ２は、ガイド１２ａ，１２ｂの間に配置される磁気テープＴの上側で、ガイド１２ａとガイド１２ｂの略中心に位置した状態で、ハウジング１０に固定されている。
【００３７】
このテープ形状センサ２は、図４にさらに詳細な構造を示しているように、測定波２３を磁気テープＴの表面に向かって発信する発信部としての発光部２１と、磁気テープＴより反射されて来た測定波２３を受信する受信部としての受光部２２を備えている。その受光部２２は、受信した測定波２３の光量を検出して、テープ形状認識手段３に出力する。
【００３８】
次に、この形状測定装置１によるカッピングの測定方法について説明する。まず、テープ固定部１１からガイド１２ｂまでの長さよりも大きな長さのサンプル用の磁気テープＴを採取し、その磁気テープＴの磁性面Ｔｃを下側に向けて、その磁気テープＴの一端側をテープ固定部１１に固定し、他端側をガイド１２ａ，１２ｂに架け渡した後、その他端側に錘１３を吊して取り付ける（図２，図３参照）。
【００３９】
これにより、磁気テープＴには錘１３で長手方向に所定の張力が与えられ、この磁気テープＴがガイド１２ａとガイド１２ｂとの間を結んだ平面、すなわち基準平面９に倣った静止状態で配置される。この状態に配置することにより、ガイド１２ａとガイド１２ｂの間に配置された磁気テープＴには、固有のカッピングが生じることになる。
【００４０】
続いて、形状測定装置１を始動し、発光部２１より測定波２３を磁気テープＴの表面で、幅方向の略中心に向けて発信し、磁気テープＴで反射されて来る測定波２３を受光部２２で受信し、受光部２２で受光された測定波２３の受光量をテープ形状認識手段３に出力する（図３参照）。
【００４１】
そして、テープＴの表面で反射されて受光部２２で受光される反射波は、カッピング量に応じて異なるので、テープ形状認識手段３では、受光部２２からの出力信号に基づいてカッピング量を検出することができ、このテープ形状情報を測定データ作成手段５に出力する。測定データ作成手段５では、このテープ形状情報を、入出力手段５ｃを介して演算手段５ａで受ける。
【００４２】
測定データ作成手段５の演算手段５ａには、テープ形状認識手段３からのテープ形状情報の他に、環境測定手段４の各センサ４ａ，４ｂ及びタイマ手段４ｃから入出力手段５ｃを介して温度情報、湿度情報、時間情報がそれぞれ入力されている。
【００４３】
そして、測定データ作成手段５の演算手段５ａでは、時間情報にテープ形状情報と温度情報と湿度情報を対応させ、時系列化された測定データを作成し、これを記憶部５ｂに順次記憶するとともに、入出力手段５ｃを介してディスプレイ７に表示する。また、このようにして記憶部５ｂに記憶された測定データは、必要に応じて読み出すことができる。
【００４４】
図５は、演算手段５ａにおいて、テープ形状認識手段３からのテープ形状情報（カッピング情報）にタイマ４ｃからの時間情報を対応させて作成された測定データの一例を示すグラフであり、横軸に経過時間（日）、縦軸にカッピング量を示している。この測定データでは、カッピング量は、経過時間と共に増加し、１日後は−１ｍｍ、１０日後は−１．５ｍｍ、１００日後は−１．７ｍｍになる結果が得られている。
【００４５】
図６は、テープ形状認識手段３からのテープ形状情報（カッピング情報）に温度センサ４ａからの温度情報と湿度センサ４ｂからの湿度情報を対応させて作成された測定データの一例を示すグラフであり、横軸に実験室内の温度（℃）と湿度（％）、縦軸にカッピング量（ｍｍ）を示している。この測定データでは、測定室内の温度が５℃であって、湿度１０％のときカッピング量は−３．５ｍｍ、湿度８０％のときカッピング量は−１ｍｍであったことを示している。また、温度２３℃であって、湿度１０％のときのカッピング量は−３．５ｍｍ、湿度５０％のときのカッピング量は−２ｍｍ、湿度８０％のときのカッピング量は−１．５ｍｍであったことを示している。温度４０℃であって、湿度２０％のときのカッピング量は−３ｍｍ、湿度８０％のときのカッピング量は−１．５ｍｍであったことを示している。
【００４６】
したがって、第１の実施の形態におけるテープの形状測定装置によれば、次のような効果を奏する。
（１）サンプル用の磁気テープＴの一端側をテープ固定部１１で固定するとともに、他端側をガイド１２ａ，１２ｂの間に架け渡した後、この磁気テープＴの他端側に錘１３を吊し、この錘１３により磁気テープＴの長手方向に張力を与え、磁気テープＴの表面がガイド１２ａ，１２ｂを結ぶ基準平面９に倣う静止状態にして固定し、このガイド１２ａ，１２ｂの間に配置されている静止状態の磁気テープＴのカッピング形状をテープ形状センサ２で計測するので、十分に高い精度のもとに測定できる。
（２）また、測定データ作成手段５では、テープ形状センサ２により計測されてテープ形状認識手段３により認識されるカッピング情報に、環境測定手段４より出力される時間情報を対応させて測定データを作成するので、磁気テープＴの変化を時系列で測定したデータが自動的に得られる。
（３）また、環境測定手段４が、基準平面９に固定されている磁気テープＴが配置されている測定室内の温度を検出する温度センサ４ａと湿度を検出する湿度センサ４ｂとを備え、測定データ作成手段５が、温度センサ４ａからの温度情報と湿度センサ４ｂからの湿度情報をカッピング情報に対応させて測定データを作成することができるので、磁気テープＴの時系列変化に、この温度または湿度の情報を加えた測定データが自動的に得られる。
（４）測定データ作成手段５が、測定された測定データを記憶部５ｂに記憶し、それを何時でも読み出して使用することができるので、測定データの有効活用が期待できる。
（５）テープ形状センサ２が、磁気テープＴに対して、測定波２３を発信する発信部である発光部２１と、この発光部２１から発信された測定波２３を磁気テープＴからの反射波として受信する受信部としての受光部２２とで、磁気テープＴのカッピング状態を簡単に知ることができ、さらにこの信号を基にテープ形状認識手段３がカッピングを自動的に算出することができる。
【００４７】
なお、第１の実施の形態におけるテープの形状測定装置において、テープ形状センサ２を磁気テープＴの幅方向に連続して動かし、磁気テープＴの幅方向における各部の反射光量を順に検出するようにすると、磁気テープＴを幅方向に断面したかの状態での、カッピング形状を知ることができる。
【００４８】
（第２の実施の形態）
次に、本発明の第２の実施の形態におけるテープの形状測定装置について図５乃至図７を参照して説明する。本第２の実施の形態における形状測定装置は、第１の実施の形態におけるテープ形状センサ２の構造を変更したものである。したがって、第１の実施の形態と同じ部材には同じ符号を付して重複した説明は省略する。
【００４９】
図５及び図６に示すテープ形状センサ３２は、ガイド１２ａとガイド１２ｂとの間に配置される磁気テープＴに対応し、かつガイド１２ａとガイド１２ｂの略中心に位置した状態にして、ハウジング１０に取り付けられている。このテープ形状センサ３２は、図７に拡大して示しているように、磁気テープＴを間に挟んで上側に測定波としてのレーザ光３５を磁気テープＴに対して発信する発信部としての発光部３３を配置し、下側にレーザ光３５の受信部としての受光部３４を配置してなる。また、発光部３３からは、磁気テープＴの幅寸法よりも大きな領域に渡ってレーザ光３５が発信されるが、このレーザ光３５は磁気テープＴを透過することはなく、磁気テープＴに当たると遮光される。したがって、受光部３４では、磁気テープＴで遮光されたものを除いたレーザ光３５を受光できるようになっている。
【００５０】
次に、このテープ形状センサ３２を使用したテープのカッピング測定方法について説明する。まず、テープ固定部１１からガイド１２ｂまでの長さよりも大きな長さのサンプル用の磁気テープＴを採取し、その一端側をテープ固定部１１に固定し、他端側をガイド１２ａ，１２ｂに架け渡した後、その他端側に錘１３を吊して取り付ける（図７，図８参照）。これにより、磁気テープＴには錘１３により長手方向に所定の張力が与えられ、ガイド１２ａとガイド１２ｂとの間、すなわち基準平面９に倣った静止の状態で配置される。この状態に配置することにより、ガイド１２ａとガイド１２ｂとの間に架け渡されて配置された磁気テープＴは、固有の湾曲度に応じてカッピングすることになる。
【００５１】
カッピングが生じると縁部Ｔａ，Ｔｂだけが基準平面９に倣い、縁部Ｔａと縁部Ｔｂとの間が上側に湾曲した状態に膨らみ、基準平面９から離れると同時に縁部Ｔａと縁部Ｔｂとの間の距離が狭まる。したがって、磁気テープＴの縁部Ｔａと縁部Ｔｂとの間の距離を検出することによって、磁気テープＴのカッピング量を認識することができる。そこで、磁気テープＴを挟んで発光部３３よりレーザ光３５が発信されると、磁気テープＴで遮光されたものを除いた残りのレーザ光が受光部３４で受光される（図９）。この遮光された部分の情報がテープ形状認識手段３に送られると、このテープ形状認識手段３で、この遮光された部分からカッピングの大きさを認識することができる。このテープ形状認識手段３のテープ形状情報は測定データ作成手段５に送られる。
【００５２】
測定データ作成手段５の演算手段５ａには、第１の実施の形態の場合と同様に、テープ形状認識手段３からのテープ形状情報の他に、環境測定手段４の各センサ４ａ，４ｂ，４ｃから入出力手段５ｃを介して温度情報、湿度情報、時間情報がそれぞれ入力されている。そして、測定データ作成手段５の演算手段５ａでは、時間情報にテープ形状情報と温度情報と湿度情報を対応させ、時系列化された測定データを作成し、これを記憶部５ｂに順次記憶するとともに、入出力手段５ｃを介してディスプレイ７に表示する。また、このようにして記憶部５ｂに記憶された測定データは、必要に応じて読み出すことができる。
【００５３】
したがって、第２の実施の形態におけるテープの形状測定装置によれば、第１の実施の形態で説明した（１）〜（４）の効果に加えて、テープ形状センサ３２が、磁気テープＴを透過しない測定波を磁気テープＴに対して、磁気テープＴの幅寸法よりも大きな領域に渡って発信する発光部３３と、磁気テープＴを間に挟んで発光部３４と対向した位置に配置され、発光部３４から発信されたレーザ光３５を受信する受光部３４とを備える構成を有しているので、発光部３３からの発信されたレーザ光３５を受光部３４側で受けない領域を検出することによって、その領域の幅から磁気テープＴの幅を簡単に知ることができ、この信号を基にテープ形状認識手段３がカッピングを算出することができるという効果が得られる。
【００５４】
（第３の実施の形態）
次に、本発明の第３の実施の形態におけるテープの形状測定装置について図１０を参照して説明する。本第３の実施の形態における形状測定装置は、第１の実施の形態におけるテープ形状センサ２と第２の実施の形態におけるテープ形状センサ３２とを、ガイド１２ａとガイド１２ｂとの間に配置したものである。したがって、第１及び第２の実施の形態と同じ部材には同じ符号を付して重複した説明は省略する。
【００５５】
この第３の実施の形態では、テープ形状センサ２では、第１の実施の形態で説明したようにして、磁気テープＴの基準平面から離れた膨らみ量（湾曲度）を検出することができ、テープ形状センサ３２では、第２の実施の形態で説明したようにして、磁気テープＴの縁部Ｔａと縁部Ｔｂとの間の距離を検出することができる。
【００５６】
そして、このテープ形状センサ２からの出力とテープセンサ３２からの出力とがそれぞれテープ形状認識手段３に入力されることにより、テープ形状認識手段３では、２つのテープ形状センサ２，３２からの情報を基に、より高精度にカッピングの大きさを認識し、この認識したテープ形状情報を測定データ作成手段５に送ることができる。
【００５７】
なお、上記各実施の形態では、ＶＴＲやオーディオ等に使用される磁気テープを一例として説明したが、これらの磁気テープに限ることなく、例えばプリンタのインクリボンとして知られるテープ等にも適用できるものである。
【００５８】
【発明の効果】
以上説明したように、本発明によれば、経時変化、温度変化、湿度変化に対する、テープのカッピングを自動的に測定することができる。
【図面の簡単な説明】
【図１】本発明に係る形状測定装置のブロック構成図である。
【図２】本発明の第１の実施の形態で使用するカッピング測定部の要部構成配置図である。
【図３】第１の実施の形態で使用するカッピング測定部の要部構成斜視図である。
【図４】第１の実施の形態でテープのカッピングを検出する状態を示す図である。
【図５】本実施の形態における時間に対するカッピングの変化を示すグラフである。
【図６】本実施の形態における温度と湿度に対するカッピングの変化を示すグラフである。
【図７】第２の実施の形態に使用するカッピング測定部の要部構成配置図である。
【図８】第２の実施の形態に使用するカッピング測定部の要部構成斜視図である。
【図９】第２の実施の形態でテープのカッピングを検出する状態を示す図である。
【図１０】第３の実施の形態で使用するカッピング測定部の要部構成配置図である。
【図１１】テープカートリッジの一例を示す図である。
【図１２】磁気テープのカッピングを説明する図である。
【符号の説明】
１…形状測定装置
２…テープ形状センサ
３…テープ形状認識手段
４…環境測定手段
５…測定データ作成手段
６…入力装置
７…ディスプレイ
８…テープ固定手段
Ｔ…磁気テープ
【図１】
2004340682.tif 000003
【図２】
2004340682.tif 000004
【図３】
2004340682.tif 000005
【図４】
2004340682.tif 000006
【図５】
2004340682.tif 000007
【図６】
2004340682.tif 000008
【図７】
2004340682.tif 000009
【図８】
2004340682.tif 000010
【図９】
2004340682.tif 000011
【図１０】
2004340682.tif 000012
【図１１】
2004340682.tif 000013
【図１２】
2004340682.tif 000014